(57)【特許請求の範囲】
【請求項１】
ベース部材と、
一端が前記ベース部材の一方側に位置する部材に接続され、他端が前記ベース部材の他方側に位置する部材に接続される接続線と、
前記ベース部材の一方側における所定の範囲を移動するように、前記ベース部材に支持された移動部材と、
を備え、
前記ベース部材には、貫通孔、およびこの貫通孔の縁から当該ベース部材の前記移動部材側で突出するようにした第一規制部が形成され、
前記接続線は、前記貫通孔および前記第一規制部の内側を通るように設けられており、
前記移動部材には切欠き部が形成されており、
前記移動部材が所定位置に位置するとき、前記第一規制部の少なくとも一部が、前記切欠き部内に入り込むことを特徴とする遊技機。
【請求項２】
前記ベース部材の一方側に前記移動部材を誘導する誘導部材が設けられており、
前記第一規制部の高さは、前記誘導部材の高さよりも高いことを特徴とする請求項１に記載の遊技機。
【請求項３】
前記ベース部材に固定された装飾部材を備え、
前記接続線は、前記第一規制部の内側を通る部分と前記一端との間における所定の部分が、前記装飾部材に形成された第二規制部の内側を通るように設けられていることを特徴とする請求項１または請求項２に記載の遊技機。
【発明の詳細な説明】
【技術分野】
【０００１】
本発明は、所定の範囲を移動する移動部材を備える遊技機に関する。
【背景技術】
【０００２】
所定の範囲を移動する移動部材を備える遊技機の場合、当該移動部材と接続線（配線、ハーネス）の干渉を防止する必要がある。下記特許文献１に記載されるように、接続線をベース部材の外側から固定するようにすれば、移動部材と接続線が干渉しにくくなる。しかし、ベース部材の外側を通るように配置される接続線が長くなってしまうという問題がある。
【先行技術文献】
【特許文献】
【０００３】
【特許文献１】特開２０１３−１７５６７号公報
【発明の概要】
【発明が解決しようとする課題】
【０００４】
本発明が解決しようとする課題は、接続線が長くなることを抑制しつつ、当該接続線と移動部材との干渉を防止することが可能な遊技機を提供することにある。
【課題を解決するための手段】
【０００５】
上記課題を解決するためになされた請求項１の発明にかかる遊技機は、ベース部材と、一端が前記ベース部材の一方側に位置する部材に接続され、他端が前記ベース部材の他方側に位置する部材に接続される接続線と、前記ベース部材の一方側における所定の範囲を移動するように、前記ベース部材に支持された移動部材と、を備え、前記ベース部材には、貫通孔、およびこの貫通孔の縁から当該ベース部材の前記移動部材側で突出するようにした第一規制部が形成され、前記接続線は、前記貫通孔および前記第一規制部の内側を通るように設けられており、前記移動部材には切欠き部が形成されており、前記移動部材が所定位置に位置するとき、前記第一規制部の少なくとも一部が、前記切欠き部内に入り込むことを特徴とする。
【０００６】
請求項２に記載の発明は、請求項１に記載の遊技機において、前記ベース部材の一方側に前記移動部材を誘導する誘導部材が設けられており、前記第一規制部の高さは、前記誘導部材の高さよりも高いことを特徴とする。
【０００８】
請求項３に記載の発明は、請求項１または請求項２に記載の遊技機において、前記ベース部材に固定された装飾部材を備え、前記接続線は、前記第一規制部の内側を通る部分と前記一端との間における所定の部分が、前記装飾部材に形成された第二規制部の内側を通るように設けられていることを特徴とする。
【発明の効果】
【０００９】
請求項１に記載の発明によれば、ベース部材の移動部材側で突出する第一規制部の内側を通るように接続線が設けられているため、移動部材と接続線の干渉を防止することが可能である。また、ベース部材に形成された貫通孔を通るように接続線が設けられているため、接続線が長くなってしまうのを抑制することが可能である。
また、移動部材が所定位置に位置するとき、第一規制部の少なくとも一部が切欠き部内に入り込む構造とすれば、第一規制部を設けたことによって、移動部材の移動範囲が小さくなってしまうのを抑制することが可能である。
【００１０】
請求項２に記載の発明によれば、第一規制部の高さが移動部材を誘導する誘導部材の高さよりも高くなるように設定されているため、接続線と誘導部材の干渉（移動部材と誘導部材の間に接続線が噛み込まれてしまうこと）を防止することが可能である。
【００１２】
請求項３に記載の発明のように、第二規制部を設ければ、接続線の規制箇所を増加させれば、移動部材と接続線の干渉を防止する効果をさらに高めることが可能である。当該第二規制部は装飾部材に設けられているのであるから、接続線を規制するための部材を別途設ける必要がない。
【図面の簡単な説明】
【００１３】
【図１】本発明の一実施形態にかかる遊技機の正面図である。
【図２】遊技盤の正面図である。
【図３】ベース部材およびそれに取り付けられた移動部材および装飾部材の正面図である。
【図４】ベース部材の外観図である（移動部材および装飾部材の装飾部分は省略してある）。
【図５】ベース部材およびそれに取り付けられた制御基板の背面図である。
【図６】移動部材と第一規制部の位置関係を説明するための図である。
【図７】接続線の配策構造を模式的に示した断面図である。
【発明を実施するための形態】
【００１４】
以下、本発明にかかる実施形態について図面を参照して詳細に説明する。なお、以下の説明における平面方向とは遊技盤９０の平面方向に沿う（平行な）方向を、前後方向とは遊技盤９０の平面方向に直交する方向（遊技者側を前、その反対側を後とする）を、左右方向（幅方向）とは図１の左右方向を、上下方向とは図１の上下方向をいうものとする。
【００１５】
まず、図１および図２を参照して遊技機１の全体構成について簡単に説明する。遊技機１は遊技盤９０を備える。遊技盤９０は、ほぼ正方形の合板により成形されており、発射装置の操作によって発射された遊技球を遊技領域９０２に案内する金属製の薄板からなる帯状のガイドレール９０３が略円弧形状となるように設けられている。
【００１６】
遊技領域９０２には、表示装置９１、第一始動入賞口９０４、第二始動入賞口９０５、大入賞口９０６、アウト口９０７などが設けられている。表示装置９１は、例えば液晶表示装置が用いられ、表示装置９１の表示画面（表示部）において特別図柄や普通図柄等が表示される。かかる表示装置９１の表示画面は、遊技盤９０に形成された開口９０１を通じて視認可能である。
【００１７】
また、遊技領域９０２には、流下する遊技球が衝突することにより遊技球の流下態様に変化を与える障害物としての遊技釘が複数設けられている。遊技領域９０２を流下する遊技球は、遊技釘に衝突したときの条件に応じて様々な態様に変化する。
【００１８】
このような遊技機１では、発射装置を操作することにより遊技領域９０２に向けて遊技球を発射する。遊技領域９０２を流下する遊技球が、始動入賞口９０４、９０５や大入賞口９０６等の入賞口に入賞すると、所定の数の賞球が払出装置により払い出される。その他、大当たりの抽選方法や演出等は、公知の遊技機と同様のものが適用できるため、説明は省略する。
【００１９】
本実施形態にかかる遊技機１には、遊技盤９０の後方に遊技盤９０を支持するベース部材１０が設けられている（図３〜図５等参照）。ベース部材１０は、平面方向（遊技盤９０）に略平行な底壁部１１と、当該底壁部１１の周縁（上下左右の縁）から前方に向かって延びる側壁部１２を有する。ベース部材１０の底壁部１１の前面（一方側）には、移動部材２０が支持されている。
【００２０】
移動部材２０は、レール２１（本発明における誘導部材に相当する）に誘導されることにより、所定範囲を移動可能に設けられたいわゆる役物である。本実施形態では、幅方向に並ぶ二つのレール２１が設けられており、各レール２１は上下方向に沿う（図４等参照）。移動部材２０は、その幅方向両側が二つのレール２１に支持されている（図６等参照）。つまり、移動部材２０は、当該レール２１に誘導されながら、上下方向に往復動可能である。本実施形態における移動部材２０は、最も下方に位置した状態（原位置）から、最も上方に位置した状態（進出位置）との間を往復動可能である。進出位置では、表示装置９１に重なり、所定の演出を実行する。移動部材２０を移動させるための駆動機構（駆動源や歯車等）は、どのような構成であってもよいため説明を省略する。
【００２１】
移動部材２０には、切欠き部２２が形成されている（図６参照）。本実施形態における移動部材２０には、正面から見て右下側に所定の大きさで切り欠かれた切欠き部２２が形成されている。具体的には、移動部材２０の下側縁を右に延長した仮想線と、移動部材２０の右側縁を下に延長した仮想線と、移動部材２０とに囲まれる領域が切欠き部２２となる。本実施形態における切欠き部２２は平面視略矩形状である。つまり、移動部材２０の右下側に略矩形状の空間が形成された構成である。
【００２２】
ベース部材１０の底壁部１１の前側（一方側）には、遊技球の入賞を検出するセンサやスイッチ等（以下センサ等５０と称する。このセンサ等５０が本発明におけるベース部材１０の一方側に位置する部材に相当する）の電気部品が設けられている（図３、図４等参照）。一方、ベース部材１０の底壁部１１の後面（他方側）には、センサ等５０を制御する制御基板６０（本発明におけるベース部材１０の他方側に位置する部材）が固定されている（図５等参照）。本実施形態では、センサ等５０の少なくとも一部と制御基板６０は、前後方向において（間にベース部材１０の底壁部１１を介して）重なっている。
【００２３】
センサ等５０と制御基板６０は、接続線３０（電線）により電気的に接続される。つまり、接続線３０は、その一端がセンサ等５０に接続され、他端が制御基板６０に接続されている。センサ等５０と接続線３０の接続構造および制御基板６０と接続線３０の接続構造（コネクタ等を用いるかどうか）は、どのようなものであってもよい。この接続線３０がどのように配置されているかについての詳細（配策構造の詳細）は後述する。
【００２４】
ベース部材１０の前側（一方側）には、装飾部材４０が設けられている（図３、図４等参照）。本実施形態における遊技盤９０は、透明または半透明な材料で形成されたいわゆる透明遊技盤である。装飾部材４０は、前後方向において当該遊技盤９０の下側（開口９０１より下側）で重なるように設けられている。そのため、当該遊技盤９０の下側は、装飾部材４０によって装飾されているかのような態様となる。なお、装飾部材４０は、複数の部材が組み合わされてなるものであってもよいし、一体成形されてなるもの（一つの部材）であってもよい。本実施形態では、上記センサ等５０は装飾部材４０の前面側に固定されている。
【００２５】
ベース部材１０の底壁部１１には、当該壁部を前後方向に貫く貫通孔１１１が形成されている（図５、図６等参照）。また、ベース部材１０には、当該貫通孔１１１の縁（厳密に「縁」である必要はない。貫通孔１１１の縁の近傍であればよい）から前方（一方側）に向かって突出した第一規制部１１２が形成されている（図４、図６等参照）。つまり、第一規制部１１２は、移動部材２０が設けられる側に向かって突出している。本実施形態における第一規制部１１２は、断面角形の筒状の部材である。この第一規制部１１２の高さ（ベース部材１０の側壁部１２の前面から第一規制部１１２の先端までの距離）は、上記レール２１の高さ（ベース部材１０の側壁部１２の前面からレール２１の前面までの距離）よりも高い（図７等参照）。また、第一規制部１１２は、その少なくとも一部が、移動部材２０が原位置（本発明における所定位置に相当する）に位置するときに当該移動部材２０に形成された切欠き部２２内に入り込む位置に位置する（図６等参照）。
【００２６】
装飾部材４０は、上記第一規制部１１２の先端よりもさらに前方に設けられている。この装飾部材４０における前記第一規制部１１２の前方かつ上記センサ等５０の近傍には、装飾部材４０の一部を前後方向に貫く貫通孔である第二規制部４１が形成されている（図３、図７等参照）。
【００２７】
このような第一規制部１１２や第二規制部４１を利用して、上記接続線３０は次のように配置される。図７に示すように、ベース部材１０の底壁部１１の後面（他方側）には、センサ等５０を制御する制御基板６０が設けられており、上述したように接続線３０の他端は当該制御基板６０に接続されている。他端が制御基板６０に接続された接続線３０は、ベース部材１０に形成された貫通孔１１１および貫通孔１１１の縁からベース部材１０の一方側に突出した第一規制部１１２内を通っている。第一規制部１１２の先端から引き出された接続線３０は、装飾部材４０に形成された貫通孔である第二規制部４１内を通っている。つまり、接続線３０の第一規制部１１２の内側を通る部分とセンサ等５０に接続された一端との間における所定部位は、装飾部材４０に形成された第二規制部４１の内側を通っている。装飾部材４０の前面側には上記センサ等５０が設けられており、第二規制部４１の前方から引き出された接続線３０は、当該センサ等５０に接続されている。
【００２８】
このように、センサ等５０と制御基板６０とを電気的に接続する接続線３０は、ベース部材１０に形成された貫通孔１１１および第一規制部１１２を通っている。つまり、接続線３０におけるベース部材１０の底壁部１１よりも前方（一方側）に位置する当該底壁部１１側の部分は、第一規制部１１２内に位置する。したがって、当該部分が第一規制部１１２外に出てしまうことはない。ベース部材１０の底壁部１１の前面（一方側）には移動部材２０が設けられており、当該移動部材２０は所定の範囲を移動することになるが、接続線３０におけるベース部材１０の底壁部１１よりも前方（一方側）に位置する当該底壁部１１側の部分は第一規制部１１２によってその移動が規制されているから、移動部材２０と接続線３０が干渉してしまうのを防止することが可能である。また、接続線３０の当該部分の移動が規制されているから、接続線３０の動きうる範囲を予測して移動部材２０の移動範囲を設定する必要がない。つまり、移動部材２０の移動範囲を第一規制部１１２に近づけることで、移動部材２０の移動範囲を大きくすることが可能である。
【００２９】
接続線３０がベース部材１０の外側を通るように（一部が側壁部１２に沿うように）して、ベース部材１０の一方側と他方側に設けられた部材同士を繋ぐ構成とすれば、移動部材２０と接続線３０の干渉を防止することができる可能性があるが、このような構成とした場合には接続線３０の長さが長くなってしまう。本実施形態における接続線３０は、ベース部材１０に形成された貫通孔１１１を通ってベース部材１０の一方側と他方側に設けられた部材同士を繋ぐ構成であるため、接続線３０の長さが長くなってしまうのを抑制することが可能である。
【００３０】
特に、本実施形態のようにセンサ等５０の少なくとも一部と制御基板６０が前後方向においてベース部材１０の底壁部１１を介して重なって配置されたものの場合、そのような部材同士をベース部材１０の外側を通る接続線３０によって繋ぐ構成とすると当該接続線３０の長さが著しく長くなってしまうところ、本実施形態における接続線３０は貫通孔１１１を通じてベース部材１０の底壁部１１を貫くように配置されているため、当該接続線３０の長さが著しく長くなってしまうのを抑制することが可能である。
【００３１】
また、第一規制部１１２の高さは、移動部材２０を誘導するレール２１の高さよりも高い。つまり、接続線３０が引き出される開口が形成された第一規制部１１２の先端の位置は、レール２１の前面よりも前方に位置する。したがって、接続線３０とレール２１が干渉してしまうのを防止することが可能である。より具体的には、接続線３０が第一規制部１１２内に位置していないとした場合、移動部材２０が原位置に向かって移動したとき、移動部材２０とレール２１の間に接続線３０が噛み込まれてしまうおそれがあるが、本実施形態ではレール２１の高さよりも高い位置で接続線３０が第一規制部１１２から引き出されているため、当該噛み込みの発生するおそれを低減することが可能である。
【００３２】
また、第一規制部１１２は、その少なくとも一部が、移動部材２０が原位置に位置するとき（第一規制部１１２に最も近づいたとき）に当該移動部材２０に形成された切欠き部２２内に入り込む位置に位置する。このような構成とすれば、第一規制部１１２を設けたことによって、移動部材２０の移動範囲が小さくなってしまうのを抑制することが可能である。つまり、移動部材２０は第一規制部１１２との干渉を防止さえすれば、接続線３０との干渉を防止することができるため、このような切欠き部２２を形成することにより、移動部材２０の移動範囲を大きくすることが可能である。
【００３３】
また、本実施形態では、接続線３０の第一規制部１１２の内側を通る部分とセンサ等５０に接続された一端との間における所定部位は、装飾部材４０に形成された第二規制部４１の内側を通っている。このような第二規制部４１を設けることにより、第一規制部１１２の内側を通る部分とセンサ等５０に接続された一端との間の部分が、移動部材２０やレール２１等に干渉することを防止する効果をさらに高めることが可能である。第二規制部４１は、透明または半透明な材料で形成された遊技盤９０を装飾する装飾部材４０に設けられるものであるため、接続線３０を規制するための新たな部材を追加する必要もない。つまり、装飾部材４０は、遊技盤９０（遊技領域９０２）を装飾する機能および接続線３０を規制する機能を発揮する部材である。
【００３４】
以上、本発明の実施の形態について詳細に説明したが、本発明は上記実施の形態に何ら限定されるものではなく、本発明の要旨を逸脱しない範囲で種々の改変が可能である。
【００３５】
上記実施形態における第一規制部１１２は、筒状の部材であることを説明したが、移動部材２０に干渉しないように接続線３０の動きを規制することができるものであれば、一部が開放した形状であってもよい。例えば、移動部材２０が位置する側の反対側が開放した断面「コ」の字状の突起としてもよい。このように一部が開放した形状とすれば、第一規制部１１２内に接続線３０を収容する作業（接続線３０の配策作業）が容易になる。
【００３６】
また、上記実施形態における移動体は、ベース部材１０の底壁部１１に支持されていることを説明したが、移動範囲が底壁部１１の前側（一方側）に設定されるものであれば、それ以外の箇所に支持されていてもよい。
【００３７】
また、上記実施形態では、接続線３０がベース部材１０の底壁部１１に形成された貫通孔１１１を通じて当該底壁部１１を貫くように配置され、当該底壁部１１を基準としてその一方側に配置された部材（センサ等５０）と他方側に配置された部材（制御基板６０）を接続していることを説明したが、基準とする部位はベース部材１０の底壁部１１に限られない。例えば、ベース部材１０の側壁部１２の一方側に配置された部材と他方側に配置された部材が、当該側壁部１２に形成された貫通孔を通じて配置された接続線によって接続される構成にも同様の技術思想が適用可能である。この場合、側壁部１２の一方側に移動部材が設けられ（移動範囲が側壁部１２の一方側に設定されていればよく、側壁部１２に支持されているかどうかは問わない）、側壁部１２の内側の面から突出するように第一規制部が形成されることとなる。
以下、上記実施形態から得られる具体的手段（遊技機）を列挙する。
手段１にかかる遊技機は、ベース部材と、一端が前記ベース部材の一方側に位置する部材に接続され、他端が前記ベース部材の他方側に位置する部材に接続される接続線と、前記ベース部材の一方側における所定の範囲を移動するように、前記ベース部材に支持された移動部材と、を備え、前記ベース部材には、貫通孔、およびこの貫通孔の縁から当該ベース部材の前記移動部材側で突出するようにした第一規制部が形成され、前記接続線は、前記貫通孔および前記第一規制部の内側を通るように設けられていることを特徴とする。
手段２にかかる遊技機は、上記手段１に記載の遊技機において、前記ベース部材の一方側に前記移動部材を誘導する誘導部材が設けられており、前記第一規制部の高さは、前記誘導部材の高さよりも高いことを特徴とする。
手段３にかかる遊技機は、上記手段１または手段２に記載の遊技機において、前記移動部材には切欠き部が形成されており、前記移動部材が所定位置に位置するとき、前記第一規制部の少なくとも一部が、前記切欠き部内に入り込むことを特徴とする。
手段４にかかる遊技機は、上記手段１から手段３のいずれかに記載の遊技機において、前記ベース部材に固定された装飾部材を備え、前記接続線は、前記第一規制部の内側を通る部分と前記一端との間における所定の部分が、前記装飾部材に形成された第二規制部の内側を通るように設けられていることを特徴とする。
手段１の遊技機によれば、ベース部材の移動部材側で突出する第一規制部の内側を通るように接続線が設けられているため、移動部材と接続線の干渉を防止することが可能である。また、ベース部材に形成された貫通孔を通るように接続線が設けられているため、接続線が長くなってしまうのを抑制することが可能である。
手段２の遊技機によれば、第一規制部の高さが移動部材を誘導する誘導部材の高さよりも高くなるように設定されているため、接続線と誘導部材の干渉（移動部材と誘導部材の間に接続線が噛み込まれてしまうこと）を防止することが可能である。
手段３の遊技機のように、移動部材が所定位置に位置するとき、第一規制部の少なくとも一部が切欠き部内に入り込む構造とすれば、第一規制部を設けたことによって、移動部材の移動範囲が小さくなってしまうのを抑制することが可能である。
手段４の遊技機の発明のように、第二規制部を設ければ、接続線の規制箇所を増加させれば、移動部材と接続線の干渉を防止する効果をさらに高めることが可能である。当該第二規制部は装飾部材に設けられているのであるから、接続線を規制するための部材を別途設ける必要がない。
【符号の説明】
【００３８】
１  遊技機
１０  ベース部材
１１  底壁部
１１１  貫通孔
１１２  第一規制部
２０  移動部材
２２  切欠き部
３０  接続線
４０  装飾部材
４１  第二規制部
５０  センサ等
６０  制御基板
９０  遊技盤
【図１】
0005874096.tif 000002
【図２】
0005874096.tif 000003
【図３】
0005874096.tif 000004
【図４】
0005874096.tif 000005
【図５】
0005874096.tif 000006
【図６】
0005874096.tif 000007
【図７】
0005874096.tif 000008